(57)【要約】【課題】液晶表示パネルに接続されるフレキシブル基板にバックライトの光源が実装され、その光源をフレキシブル基板を介しての導光板の側方位置に配置するにあたって、長期間にわたって光源を所期の位置に確実に固定できるようにする。【解決手段】端子部１１ａを有する液晶表示パネル１０と、ホルダケース２１ａ内に導光板２２とその側方に配置される光源２３とを含む照明手段が収納され、液晶表示パネル１０の反観察面側に配置されるバックライト２０と、一端３０ａが端子部１１ａに接続され、他端３０ｂがバックライト２０側に折り返されるフレキシブル基板３０とを備えている液晶表示装置において、フレキシブル基板３０の他端３０ｂを端子部１１ａとホルダケース２１ａとの間に折り返し、その折り返された他端３０ｂ側の所定部位に光源２３を実装して導光板２２の側方に配置する。【選択図】図１
2007322595.tif 000002
【特許請求の範囲】
【請求項１】
少なくとも１辺に端子部を有する液晶表示パネルと、ホルダケース内に導光板とその側方に配置される光源とを含む照明手段が収納され、上記液晶表示パネルの反観察面側に配置されるバックライトと、一端が上記端子部に接続され、他端が上記バックライト側に折り返されるフレキシブル基板とを備えている液晶表示装置において、
上記フレキシブル基板の他端が上記端子部と上記ホルダケースとの間に折り返され、その折り返された他端側の所定部位に上記光源が上記ホルダケース内で上記導光板の側方に配置されるように実装されていることを特徴とする液晶表示装置。
【請求項２】
上記フレキシブル基板の他端側には上記光源に隣接して表示駆動用のチップ部品が実装され、上記チップ部品が上記光源とともに上記ホルダケース内に収納されることを特徴とする請求項１に記載の液晶表示装置。
【発明の詳細な説明】
【技術分野】
【０００１】
本発明は、液晶表示パネルに光を照射するバックライトを有する液晶表示装置に関し、さらに詳しく言えば、液晶表示パネルに接続されるフレキシブル基板にバックライトの光源が実装されている液晶表示装置に関するものである。
【背景技術】
【０００２】
液晶表示パネルは受動部品であるため、少なくとも１辺には端子部が設けられており、その端子部に表示駆動信号を供給するフレキシブル基板が接続される。また、透過型もしくは半透過型の液晶表示パネルでは、暗い環境でも明るい表示が得られるようにバックライトを備えている。
【０００３】
この種のバックライトを有する液晶表示装置においては、組み立て時にフレキシブル基板を処理するにあたって、例えば特許文献１に記載されているように、フレキシブル基板をバックライトの裏面側に折り返し、両面粘着テープなどでバックライトのケースに固定するようにしている。
【０００４】
その一例を図３により説明する。図３は液晶表示パネル１０の反観察面側（裏面側）にサイドライト型のバックライト２０を配置してなる液晶表示装置の一部分を拡大して示す模式的な断面図である。
【０００５】
液晶表示パネル１０は、フロント側の第１透明電極基板１１とリア側の第２透明電極基板１２とを図示しない周辺シール材を介して貼り合わせた積層体で、その内部には液晶物質が封入されている。また、各透明電極基板１１，１２の外表面には偏光板１３，１３が貼着されている。
【０００６】
この例では、フロント側の第１透明電極基板１１に端子部１１ａが側方に張り出すように連設されており、端子部１１ａにフレキシブル基板３０の一端が接続される。多くの場合、フレキシブル基板３０には表示駆動用のチップ部品３１が実装されたＴＣＰ（Ｔａｐｅ  Ｃａｒｒｉｅｒ  Ｐａｃｋａｇｅ）やＣＯＦ（Ｃｈｉｐ  Ｏｎ  Ｆｉｌｍ）などが用いられている。
【０００７】
バックライト２０は、リア側の第２透明電極基板１２と対向する面が開口されたホルダケース２１を備え、ホルダケース２１内には例えばアクリル樹脂などからなる導光板２２が収納されている。サイドライト型であることから、ホルダケース２１内には導光板２２の側方に光源２３が配置される。通常、光源２３には発光ダイオードが用いられることから、以下の説明では、光源を発光ダイオード２３とすることがある。
【０００８】
発光ダイオード２３は必要とされる光量に応じてその使用個数が決められ、電源配線を有するバックライト用の別基板に実装された状態で導光板２２の側方に配置されるが、この従来例では、基板を共用化して部品点数および組み立て工数を削減するため、次のようにしている。
【０００９】
すなわち、フレキシブル基板３０に電源配線を含ませて発光ダイオード２３を実装し、フレキシブル基板３０をバックライト２０の裏面側に折り返すことに伴って発光ダイオード２３をホルダケース２１の下面側から導光板２２の側方に配置し、フレキシブル基板３０を両面粘着テープＴでホルダケース２１の下面に固定するようにしている。
【００１０】
【特許文献１】特開２００２−２５８３１７号公報
【発明の開示】
【発明が解決しようとする課題】
【００１１】
しかしながら、フレキシブル基板３０は液晶表示パネル１０の端子部１１ａから見てほぼ１８０゜折り曲げられるため、常にその復元力が両面粘着テープＴにかけられることになる。そのうえ、両面粘着テープＴの粘着力は経時的のみならず温度や湿度などによっても劣化する。
【００１２】
そのため、両面粘着テープＴがフレキシブル基板３０の復元力に耐えきれず、フレキシブル基板３０がホルダケース２１から図３の矢印方向に浮き上がり、これに伴って発光ダイオード２３の光軸がずれ発光むらが生ずることがある。また、車載用途の場合には、さらに振動が加えられるため、最悪の場合、フレキシブル基板３０がホルダケース２１から完全に剥離してしまうこともある。
【００１３】
これを防止するには、例えばフレキシブル基板３０をホルダケース２１にネジ止めすればよいのであるが、薄型化，軽量化の要請からホルダケース２１は必要最小限の肉厚で成型されているため雌ネジ孔を形成することは困難である。また、雌ネジ孔を形成し得たとしても１点止めでは発光ダイオード２３がふらつくおそれがあるため、数点止めにする必要があり、組み立て作業性の観点からしても好ましくない。
【００１４】
したがって、本発明の課題は、液晶表示パネルに接続されるフレキシブル基板にバックライトの光源が実装され、その光源をフレキシブル基板を介してバックライトの導光板の側方位置に配置するにあたって、長期間にわたって光源を所期の位置に確実に固定できるようにすることにある。
【課題を解決するための手段】
【００１５】
上記課題を解決するため、請求項１に記載の発明は、少なくとも１辺に端子部を有する液晶表示パネルと、ホルダケース内に導光板とその側方に配置される光源とを含む照明手段が収納され、上記液晶表示パネルの反観察面側に配置されるバックライトと、一端が上記端子部に接続され、他端が上記バックライト側に折り返されるフレキシブル基板とを備えている液晶表示装置において、上記フレキシブル基板の他端が上記端子部と上記ホルダケースとの間に折り返され、その折り返された他端側の所定部位に上記光源が上記ホルダケース内で上記導光板の側方に配置されるように実装されていることを特徴としている。
【００１６】
請求項１に記載の発明は、上記請求項１において、上記フレキシブル基板の他端側には上記光源に隣接して表示駆動用のチップ部品が実装され、上記チップ部品が上記光源とともに上記ホルダケース内に収納されることを特徴としている。
【発明の効果】
【００１７】
請求項１に記載の発明によれば、一端が液晶表示パネルの端子部に接続されるフレキシブル基板の他端を、端子部とホルダケースとの間に折り返すようにしたことにより、フレキシブル基板の復元力がホルダケースにより受け止められ、フレキシブル基板の他端側が常時ホルダケースに圧接した状態に保たれる。したがって、フレキシブル基板の折り返された部分に光源を実装してホルダケース内で導光板の側方に配置することにより、長期間にわたって光源を所期の位置に確実に固定することができる。
【００１８】
また、請求項２に記載の発明によれば、フレキシブル基板の折り返された部分に光源に隣接して表示駆動用のチップ部品を実装することにより、表示駆動用のチップ部品が光源とともにホルダケース内に収納されるため、より一層の小型化と薄型化をはかることができる。
【発明を実施するための最良の形態】
【００１９】
次に、図１および図２により本発明の実施形態について説明するが、本発明はこれに限定されるものではない。図１は本発明に係る液晶表示装置の一部分を拡大して示す模式的な断面図，図２はバックライトのホルダケースの一部分を示す斜視図である。なお、先の図３で説明した従来例と変更を要しない構成要素には同じ参照符号を用いる。
【００２０】
図１に示すように、この液晶表示装置には、液晶表示パネル１０と、サイドライト型のバックライト２０とが含まれるが、液晶表示パネル１０については、先の図３で説明した従来例と同じく、図示しない周辺シール材を介して対向的に貼り合わされたフロント側の第１透明電極基板１１とリア側の第２透明電極基板１２との間に液晶物質が封入され、各透明電極基板１１，１２の外表面に偏光板１３，１３が貼着されている液晶表示パネルであってよい。
【００２１】
この実施形態においても、フロント側の第１透明電極基板１１に端子部１１ａが側方に張り出すように連設されており、端子部１１ａに、表示駆動用のチップ部品３１が実装されたＴＣＰやＣＯＦなどのフレキシブル基板３０の一端３０ａが接続される。なお、リア側の第２透明電極基板１２に端子部が設けられてもよく、このような態様も本発明に含まれる。
【００２２】
バックライト２０は、液晶表示パネル１０に対する照明手段が収納されるホルダケース２１ａを備えるが、この実施形態でのホルダケース２１ａは、リア側の第２透明電極基板１２と対向する面であって、導光板２２の側方の部分も開口されている点で、先の図３で説明した従来例のホルダケース２１と異なっている。
【００２３】
このホルダケース２１ａ内には、例えばアクリル樹脂などからなる導光板２２がリア側の第２透明電極基板１２と対向する位置に収納され、図２に示すように、残された導光板２２の側方部分が上面が開口された部品収納部Ｓとされ、この部品収納部Ｓ内に好ましくは表示駆動用のチップ部品３１とともに光源としての発光ダイオード２３が収納される。
【００２４】
本発明において、フレキシブル基板３０の他端３０ｂは、ホルダケース２１ａの底面側ではなく、液晶表示パネル１０の端子部１１ａと、ホルダケース２１ａとの間に折り返される。その際、フレキシブル基板３０の他端３０ｂ側で部品収納部Ｓを覆うようにして、その他端３０ｂ側をホルダケース２１ａの側枠および／または導光板２２の端部で受けさせるようにする。
【００２５】
これにより、フレキシブル基板３０の復元力にて他端３０ｂ側がホルダケース２１ａに圧接した安定な状態に保持される。したがって、図１に示すように、フレキシブル基板３０の折り返された他端３０ｂ側に発光ダイオード２３を実装して部品収納部Ｓ内に収納し、導光板２２の側方に配置することにより、長期間にわたって発光ダイオード２３を所期の位置に確実に固定することができる。
【００２６】
また、部品収納部Ｓに余裕がある場合には、図１に示すように、フレキシブル基板３０の折り返された他端３０ｂ側において、発光ダイオード２３に隣接して表示駆動用のチップ部品３１を実装し、チップ部品３１を発光ダイオード２３とともに部品収納部Ｓ内に収納することにより、先の図３で説明した従来例でホルダケース２１の底面側にチップ部品３１を配置している場合に比べて装置の厚さを薄くすることができる。
【００２７】
なお、上記実施形態では、図２に示すように部品収納部Ｓの上面全体を開口するようにしているが、別の実施形態として、部品収納部Ｓに天板を設け、その天板に発光ダイオード２３やチップ部品３１を通すことができる孔を形成するようにしてもよい。この場合には、フレキシブル基板３０の他端３０ｂ側の幅は部品収納部Ｓよりも狭くてもよい。
【００２８】
また、補助的にフレキシブル基板３０の他端３０ｂ側を両面粘着テープなどでホルダケース２１ａに固定してもよい。また、液晶表示パネル１０は、ＳＴＮ型，薄膜トランジスタ（ＴＦＴ）型のいずれであってもよい。
【図面の簡単な説明】
【００２９】
【図１】本発明に係る液晶表示装置の一部分を拡大して示す模式的な断面図。
【図２】上記液晶表示装置でバックライトのホルダケースの一部分を示す斜視図。
【図３】従来の液晶表示装置の一部分を拡大して示す模式的な断面図。
【符号の説明】
【００３０】
１０  液晶表示パネル
１１，１２  透明電極基板
１１ａ  端子部
２０  バックライト
２１ａ  ホルダケース
２２  導光板
２３  発光ダイオード（光源）
３０  フレキシブル基板
３０ａ  フレキシブル基板の一端
３０ｂ  フレキシブル基板の他端
３１  チップ部品
【図１】
2007322595.tif 000003
【図２】
2007322595.tif 000004
【図３】
2007322595.tif 000005